(57)【要約】      （修正有）【課題】建物の屋根の庇部に形成された雪庇を落とす雪庇落とし具を提供する。【解決手段】金属パイプ材からなる柄体１は、前部材１ａ及び後部材１ｂを相互に差し込み可能に構成され、前部材１ａ及び後部材１ｂの差し込み長さの可変及び固定リング１ｃの緊締及び弛緩回動により伸縮自在に設けられている。雪庇滑落板２は、木材板、合成樹脂板、アルミニウム等の金属板が用いられ、上記柄体１の先端部にネジやリベット等の止着具により止着され、屋根Ｗの庇部Ｗ１に形成された雪庇Ｓを突き刺し可能に形成されている。滑り止め部材３は、上記雪庇滑落板２の裏面に突き刺し方向と平行する方向に上記雪庇Ｓに穿入可能に形成され、この場合、滑り止め部材３はＬ型金具からなり、このＬ型金具をボルト等の止着具により上記雪庇滑落板２の裏面に着脱自在に取り付けて構成している。【選択図】図５
0003182074.tif 000002
【実用新案登録請求の範囲】
【請求項１】
柄体の先端部に屋根の庇部に形成された雪庇を突き刺して落とす雪庇滑落板を設けてなり、上記雪庇滑落板に上記雪庇に穿入可能な滑り止め部材を設けてなることを特徴とする雪庇落とし具。
【請求項２】
上記柄体は長さ伸縮自在に設けられていることを特徴とする請求項１記載の雪庇落とし具。
【請求項３】
上記滑り止め部材はＬ型金具からなることを特徴とする請求項１又は２記載の雪庇落とし具。
【請求項４】
上記滑り止め部材は着脱自在に設けられていることを特徴とする請求項１〜３のいずれか１項に記載の雪庇落とし具。
【請求項５】
上記雪庇滑落板は木材板、合成樹脂板、金属板からなることを特徴とする請求項１〜４のいずれか１項に記載の雪庇落とし具。
【考案の詳細な説明】
【技術分野】
【０００１】
本考案は例えば建物の屋根の庇部に形成された雪庇を落とす雪庇落とし具に関するものである。
【背景技術】
【０００２】
従来、この種の雪庇落とし具として、柄体の先端部に屋根の庇部に形成された雪庇を突き刺して落とす雪庇滑落板を設けた構造のものが知られている。
【先行技術文献】
【特許文献】
【０００３】
【特許文献１】実開昭６３−１７９３３４号
【考案の概要】
【考案が解決しようとする課題】
【０００４】
しかしながら上記従来構造の場合、使用者が柄体を握持し、例えば、地上から屋根上に形成された雪庇中に雪庇滑落板を突き刺し、この突き刺しにより雪庇を分断し、雪庇滑落板上を滑落させて雪庇を屋根から落とすに当たり、怪我を防ぐため、滑落する雪庇が柄体を握持した使用者の上に落ちてこないように柄体を斜めに持って、雪庇滑落板を雪庇に斜め方向から突き刺すことになり、この斜め方向からの突き刺しにより、雪庇滑落板上の雪庇の重さや柄体が屋根上に届く程に長い柄体の重さが相俟って柄体が雪庇と一緒に振り落とされることになり、このため、その都度、柄体を屋根上の雪庇に向けて振り上げ、振り上げた後、柄体を握持して雪庇滑落板を雪庇に突き刺して雪庇を分断して落とすことになり、それだけ、雪庇落としにあたり、大変な労力を必要とする共に作業効率が低下することがあるという不都合を有している。
【課題を解決するための手段】
【０００５】
本考案はこれらの不都合を解決することを目的とするもので、本考案のうちで、請求項１記載の考案は、柄体の先端部に屋根の庇部に形成された雪庇を突き刺して落とす雪庇滑落板を設けてなり、上記雪庇滑落板に上記雪庇に穿入可能な滑り止め部材を設けてなることを特徴とする雪庇落とし具にある。
【０００６】
又、請求項２記載の考案は、上記柄体は長さ伸縮自在に設けられていることを特徴とするものであり、又、請求項３記載の考案は、上記滑り止め部材はＬ型金具からなることを特徴とするものであり、又、請求項４記載の考案は、上記滑り止め部材は着脱自在に設けられていることを特徴とするものであり、又、請求項５記載の考案は、上記雪庇滑落板は木材板、合成樹脂板、金属板からなることを特徴とするものである。
【考案の効果】
【０００７】
本考案は上述の如く、請求項１記載の考案にあっては、雪庇中に雪庇滑落板を突き刺し、この突き刺しにより雪庇を分断し、雪庇滑落板上を滑落させて雪庇を屋根から落とすに当たり、柄体を斜めに持って雪庇滑落板を雪庇に斜め方向から突き刺すことになり、この斜め方向からの突き刺し時において、雪庇滑落板に設けた滑り止め部材が雪庇に穿入することにより雪庇滑落板の滑り止め作用を発揮することになり、雪庇滑落板の重さや柄体が屋根上に届く程に長い柄体の重さにより柄体が雪庇と一緒に振り落とされることを防ぐことができ、このため、その都度、柄体を屋根上の雪庇に向けて振り上げることを極力防ぐことができ、雪庇落とし作業の労力を軽減することができると共に作業効率を向上することができる。
【０００８】
又、請求項２記載の考案にあっては、上記柄体は長さ伸縮自在に設けられているから、柄体を使用時に伸長し、不使用時に短縮することができ、使用の利便性及び保管の融通性を向上することができ、又、請求項３記載の考案にあっては、上記滑り止め部材はＬ型金具からなるので、滑り止め部材を容易に形成することができ、又、請求項４記載の考案にあっては、上記滑り止め部材は着脱自在に設けられているから、雪質や使用条件に応じ、滑り止め部材を取り外して使用することができ、使用の融通性を高めることができ、又、請求項５記載の考案にあっては、上記雪庇滑落板は木材板、合成樹脂板、金属板からなるので、雪庇の状況に応じて製作することができ、使用の融通性を高めることができる。
【図面の簡単な説明】
【０００９】
【図１】本考案の実施の第一形態例の全体斜視図である。
【図２】本考案の実施の第一形態例の裏面部分斜視図である。
【図３】本考案の実施の第一形態例の裏面部分分解斜視図である。
【図４】本考案の実施の第一形態例の使用状態の横断面図である。
【図５】本考案の実施の第一形態例の使用状態図である。
【図６】本考案の実施の第一形態例の使用状態図である。
【図７】本考案の実施の第二形態例の裏面部分斜視図である。
【考案を実施するための形態】
【００１０】
図１乃至図７は本考案の実施の形態例を示し、図１乃至図６は第一形態例、図７は第二形態例である。
【００１１】
図１乃至図６の第一形態例において、１は柄体であって、木材、合成樹脂、アルミニウム等の金属パイプ材が用いられている。
【００１２】
この場合、上記柄体１は、前部材１ａ及び後部材１ｂを相互に差し込み可能に構成され、前部材１ａ及び後部材１ｂの差し込み長さの可変及び固定リング１ｃの緊締及び弛緩回動により伸縮自在に設けられている。
【００１３】
２は雪庇滑落板であって、この場合、木材板、合成樹脂板、アルミニウム等の金属板が用いられ、上記柄体１の先端部にネジやリベット等の止着具２ａにより止着され、屋根Ｗの庇部Ｗ１に形成された雪庇Ｓを突き刺し可能に形成されている。
【００１４】
３は滑り止め部材であって、上記雪庇滑落板２の裏面に突き刺し方向と平行する方向に上記雪庇Ｓに穿入可能に形成され、この場合、滑り止め部材３はＬ型金具３ａからなり、このＬ型金具３ａをボルト等の止着具３ｂにより上記雪庇滑落板２の裏面に着脱自在に取り付けて構成している。
【００１５】
この実施の第一形態例は上記構成であるから、図１、図５の如く、使用者Ｍにおいて柄体１を握持し、例えば、地上から屋根Ｗ上に形成された雪庇Ｓ中に雪庇滑落板２を突き刺し、又は、図６の如く、屋根Ｗ上から雪庇Ｓ中に雪庇滑落板２を突き刺し、この突き刺しにより雪庇Ｓを分断し、雪庇滑落板２上を滑落させて雪庇Ｓを屋根Ｗから落とすことになり、この雪庇落としに当たり、柄体１を斜めに持って雪庇滑落板２を雪庇Ｓに斜め方向から突き刺すことになり、この斜め方向からの突き刺し時において、図４の如く、雪庇滑落板２に設けた滑り止め部材３が雪庇Ｓに穿入し、突き刺し方向と平行な滑り止め部材３の側面が雪庇Ｓ中に穿入係止し、滑り止め部材３の側面が雪庇Ｓに係止して雪庇滑落板２の滑り止め作用を発揮することになり、雪庇滑落板２の重さや柄体１が屋根Ｗ上に届く程に長い柄体１の重さにより、柄体１が雪庇Ｓと一緒に図５、図６に示す矢印方向に振り落とされることを防ぐことができ、このため、その都度、柄体１を屋根Ｗ上の雪庇Ｓに向けて振り上げることを極力防ぐことができ、雪庇落とし作業の労力を軽減することができると共に作業効率を向上することができる。
【００１６】
この場合、上記柄体１は長さ伸縮自在に設けられているから、柄体１を使用時に伸長し、不使用時に短縮することができ、使用の利便性及び保管の融通性を向上することができ、又、この場合、上記滑り止め部材３はＬ型金具３ａからなるので、滑り止め部材３を容易に形成することができ、又、この場合、上記滑り止め部材３は着脱自在に設けられているから、雪質や使用条件に応じ、滑り止め部材３を取り外して使用することができ、使用の融通性を高めることができ、又、この場合、上記雪庇滑落板２は木材板、合成樹脂板、金属板からなるので、雪庇Ｓの状況に応じて製作することができ、使用の融通性を高めることができる。
【００１７】
図７の第二形態例は別例構造を示し、この場合、合成樹脂製の雪庇滑落板２の裏面に上記雪庇Ｓに穿入可能な合成樹脂製の滑り止め部材３を雪庇滑落板２と一体に樹脂成形して構成している。
【００１８】
この第二形態例にあっては、上記第一形態例と同様な作用効果を得ることができる。
【００１９】
尚、本考案は上記実施の形態例に限られるものではなく、柄体１、雪庇滑落板２、滑り止め部材３の大きさや数、滑り止め部材３の設置位置、材質、形態、構造等は適宜設計して変更されるものである。
【００２０】
以上の如く、所期の目的を充分達成することができる。
【符号の説明】
【００２１】
Ｗ    屋根
Ｗ１    庇部
Ｓ    雪庇
１    柄体
２    雪庇滑落板
３    滑り止め部材
３ａ    Ｌ型金具
【図１】
0003182074.tif 000003
【図２】
0003182074.tif 000004
【図３】
0003182074.tif 000005
【図４】
0003182074.tif 000006
【図５】
0003182074.tif 000007
【図６】
0003182074.tif 000008
【図７】
0003182074.tif 000009